(57)【要約】【課題】本発明は、配筋作業において、コンクリートの被りを確保するため、高低差がある基礎に適用できる高さ変更可能なスペーサーを提供する。【解決手段】本発明の高さ変更可能なスペーサーは、左側斜辺固定部材１と右側斜辺固定部材２とを頂点３で交叉連結させ、前記左側斜辺固定部材１及び右側斜辺固定部材２の下部連結部材６、６‘を適宜長さの底辺連結部材４で連結して正面視三角形となるように組み立て形成し、前記底辺連結部材４の長さを変更することによって基礎からの前記頂点３の高さを変更する。このようにして、左側斜辺固定部１材と右側斜辺固定部材２と底辺連結部材４を組み立てることにより、簡易にスペーサーの高さ調整をすることができる。【選択図】図１
2018168667.tif 000002
【特許請求の範囲】
【請求項１】
左側斜辺固定部材と右側斜辺固定部材とを頂点で交叉連結させ、前記左側斜辺固定部材及び右側斜辺固定部材の下部連結部材を適宜長さの底辺連結部材で連結して正面視三角形となるように組み立て形成し、前記底辺連結部材の長さを変更することによって基礎からの前記頂点の高さを変更可能にすることを特徴とする高さ変更可能なスペーサー。
【請求項２】
前記左側斜辺固定部材及び右側斜辺固定部材は、所定間隔で離間した上下の上部連結部材と下部連結部材とを設け、前記上部連結部材と下部連結部材とを橋渡しするように連結した左側斜辺部材及び右斜辺部材を適宜間隔で並列に連結し、前記左側斜辺部材及び右側斜辺部材の下端部は、前記下部連結部材の部分で基礎に沿って折り曲げられてＬ字状端部となっていることを特徴とする請求項１記載の高さ変更可能なスペーサー。
【請求項３】
左側斜辺固定部材と右側斜辺固定部材とを頂点で連結棒で交叉連結させ、前記左側斜辺固定部材及び右側斜辺固定部材の下部連結部材を適宜長さの底辺連結部材で連結して正面視三角形となるように組み立て形成し、前記底辺連結部材の長さを変更することによって基礎からの前記頂点の高さを変更可能にすることを特徴とする高さ変更可能なスペーサー。
【請求項４】
前記左側斜辺固定部材及び右側斜辺固定部材は、下部連結部材を設け、前記下部連結部材に連結した左側斜辺部材及び右側斜辺部材を適宜間隔で並列に連結し、前記左側斜辺部材及び右側斜辺部材の上端部は、折り曲げられて鉤状フックを形成し、前記左側斜辺部材及び右側斜辺部材の下端部は、前記下部連結部材の部分で基礎に沿って折り曲げられてＬ字状端部となっていることを特徴とする請求項３記載の高さ変更可能なスペーサー。
【請求項５】
接地部分及び立上がり部分を備えた逆くの字状の複数並列状に連結された固定支持部材と、所定間隔で離間した上部連結部材と下部連結部材とを橋渡しするように連結した左側斜辺部材を適宜間隔で連結する左側斜辺固定部材とからなり、前記固定支持部材と左側斜辺固定部材とを連結して正面視三角形となるように組み立て形成し、前記左側斜辺固定部材の長さを変更することによって基礎からの高さを変更可能にすることを特徴とする高さ変更可能なスペーサー。
【請求項６】
前記固定支持部材は、鋼線材を逆くの字状の折り曲げて形成し、立上がり部分に設けた上部連結部材と接地部分に設けた下部連結部材とに跨って連結し、前記接地部分の先端部には、上方にＵ字状に折り曲げた先端折曲部を形成し、また、前記立上り部分の適宜位置には高さ調節用横架部材を設けることを特徴とする請求項５記載の高さ変更可能なスペーサー。
【発明の詳細な説明】
【技術分野】
【０００１】
本発明は、配筋作業において、コンクリートの被りを確保するために床面又は壁面の間に入れて、鉄筋と床或いは鉄筋と壁面の距離を確保するためスペーサーに関する。
【背景技術】
【０００２】
従来、コンクリートスラブを補強する鉄筋の配筋作業は、コンクリートスラブを形成する基礎の上に、コンクリート被りに相当する高さのスペーサーを必要個数設置し、その後、設置したスペーサー上に鉄筋を配置し、その配置した鉄筋に他の鉄筋を格子状に交差させて配置すると共に、その交点を連結固定することによって平板状の鉄筋格子を形成している。
【０００３】
このスペーサーの設置作業を省略すると共に、鉄筋を略等間隔に容易に配置することができる鉄筋支持具が知られている（特許文献１を参照）。
この公知技術は、鉄筋部材の長手方向に沿って略くの字状に屈曲して形成した支持部材が略等間隔に固定された鉄筋支持具であって、前記鉄筋部材は支持部材により基礎から離間した位置に支持されるので、別部材のスペーサーを鉄筋部材と基礎との間に介在させることなく、鉄筋部材の周りにコンクリート被りを形成することができる。
【０００４】
前記公知技術は、鉄筋部材を所定の位置に配置するだけで、スペーサーの上に鉄筋が配置された状態とすることができるので、従来のように、スペーサーを設置する必要がなく、スペーサーの設置作業を省略することができる効果があるが、基礎に高低差がある場合には使用できない不都合があった。そのため、高さ変更可能なスペーサーの開発が望まれていた。
【先行技術文献】
【特許文献】
【０００５】
【特許文献１】特開２００３−１６６３１３号公報
【発明の概要】
【発明が解決しようとする課題】
【０００６】
本発明は、配筋作業において、コンクリートの被りを確保するため、高低差がある基礎に適用できる高さ変更可能なスペーサーを提供することを目的とする。
【課題を解決するための手段】
【０００７】
本発明の高さ変更可能なスペーサーは、左側斜辺固定部材と右側斜辺固定部材とを頂点で交叉連結させ、前記左側斜辺固定部材及び右側斜辺固定部材の下部連結部材を適宜長さの底辺連結部材で連結して正面視三角形となるように組み立て形成し、前記底辺連結部材の長さを変更することによって基礎からの前記頂点の高さを変更可能にする。
本発明の高さ変更可能なスペーサーは、接地部分及び立上がり部分を備えた逆くの字状の複数並列状に連結された固定支持部材と、所定間隔で離間した上部連結部材と下部連結部材とを橋渡しするように連結した左側斜辺部材を適宜間隔で連結する左側斜辺固定部材とからなり、前記固定支持部材と左側斜辺固定部材とを連結して正面視三角形となるように組み立て形成し、前記左側斜辺固定部材の長さを変更することによって基礎からの高さを変更可能にする。
【発明の効果】
【０００８】
本発明の高さ変更可能なスペーサーは、左側斜辺固定部材と右側斜辺固定部材とを頂点で交叉連結させ、前記左側斜辺固定部材及び右側斜辺固定部材の下部連結部材を適宜長さの底辺連結部材で連結して正面視三角形となるように組み立て形成し、前記底辺連結部材の長さを変更することによって基礎からの前記頂点の高さを変更可能にするため、左側斜辺固定部材と右側斜辺固定部材と底辺連結部材を組み立てることにより、簡易にスペーサーの高さ調整をすることができる。
また、本発明の高さ変更可能なスペーサーは、接地部分及び立上がり部分を備えた逆くの字状の複数並列状に連結された固定支持部材と、所定間隔で離間した上部連結部材と下部連結部材とを橋渡しするように連結した左側斜辺部材を適宜間隔で連結する左側斜辺固定部材とからなり、前記固定支持部材と左側斜辺固定部材とを連結して正面視三角形となるように組み立て形成し、前記左側斜辺固定部材の長さを変更することによって基礎からの高さを変更可能にするため、前記左側斜辺固定部材と連結される固定支持部材の高さ調節用横架部材の位置を適宜設定することができ、予め工場等で溶接により簡単に製作することができる。
【図面の簡単な説明】
【０００９】
【図１】本発明の高さ変更可能なスペーサーの一実施例の斜視図である。
【図２】本発明の高さ変更可能なスペーサーの一実施例の左側斜辺固定部材の斜視図である。
【図３】本発明の高さ変更可能なスペーサーの一実施例の左側斜辺固定部材と右側斜辺固定部材と底辺連結部材で正面視三角形に組み立て形成した正面図である。
【図４】本発明の高さ変更可能なスペーサーの他の実施例の斜視図である。
【図５】本発明の高さ変更可能なスペーサーの他の実施例の分解斜視図である。
【図６】本発明の高さ変更可能なスペーサーの他の実施例の左側斜辺固定部材と右側斜辺固定部材と底辺連結部材で正面視三角形に組み立て形成した正面図である。
【図７】本発明の高さ変更可能なスペーサーの他の実施例の鉤状フックの別パターン（ａ）〜（ｃ）の正面図である。
【図８】本発明の高さ変更可能なスペーサーのその他の実施例の固定支持部材の斜視図である。
【図９】本発明の高さ変更可能なスペーサーのその他の実施例の左側斜辺固定部材の斜視図である。
【図１０】本発明の高さ変更可能なスペーサーのその他の実施例の固定支持部材と左側斜辺固定部材で正面視三角形に組み立て形成した斜視図である。
【図１１】本発明の高さ変更可能なスペーサーのその他の実施例の拡大正面図である。
【図１２】本発明の高さ変更可能なスペーサーのその他の実施例の別組み立ての拡大正面図である。
【発明を実施するための形態】
【００１０】
本発明の高さ変更可能なスペーサーの一実施例を添付図面に基づいて、以下に説明する。
図１の斜視図に示すように、本発明の高さ変更可能なスペーサーは、左側斜辺固定部材１と右側斜辺固定部材２とを頂点３で交叉連結させ、前記左側斜辺固定部材１及び右側斜辺固定部材２の下部連結部材６、６’を適宜長さの底辺連結部材４で連結して正面視三角形となるように組み立て形成し、前記底辺連結部材４の長さを変更することによって基礎からの前記頂点３の高さを変更可能にする。
【００１１】
前記左側斜辺固定部材１は、図２の斜視図に示すように、所定間隔で離間した上下の上部連結部材５と下部連結部材６とを設け、前記上部連結部材５と下部連結部材６とを橋渡しするように連結した左側斜辺部材７を適宜間隔で並列に連結する。前記左側斜辺部材７の下端部は、前記下部連結部材６の部分で基礎に沿って折り曲げられてＬ字状端部８となっている。
【００１２】
前記右側斜辺固定部材２は、図２に示す左側斜辺固定部材１を反対向きの背中合わせにするもので、前記左側斜辺固定部材１と同様に、所定間隔で離間した上下の上部連結部材５’と下部連結部材６’とを設け、前記上部連結部材５’と下部連結部材６’とを橋渡しするように連結した右側斜辺部材７’を適宜間隔で連結する。前記右側斜辺部材７’の下端部は、前記下部連結部材６’の部分で基礎に沿って折り曲げられてＬ字状端部８’となっている。
【００１３】
前記頂点３は、図３の正面図に示すように、前記左側斜辺固定部材１の左側斜辺部材７を右側斜辺固定部材２の上部連結部材５’に載せ、また前記右側斜辺固定部材２の左側斜辺部材７’を左側斜辺固定部材２の上部連結部材５に載せて交叉連結させる。
【００１４】
前記底辺連結部材４は、図３に示すように、両端部を基礎と平行になるように下方に折り曲げて下部連結部材６、６’に嵌合する折り曲げ部９を形成する。前記底辺連結部材４の長さを変更することによって基礎からの頂点３の高さを変更することができる。前記底辺連結部材４は、図１に示すように別々に複数本設けるが、必要に応じて一体に相互に連結された底辺連結部材４とすることもできる。
【００１５】
次に、本発明の高さ変更可能なスペーサーの一実施例の操作動作を添付図面に基づいて、以下に説明する。
本発明の高さ変更可能なスペーサーを設置する場合には、図２の左側斜辺固定部材１と反対向きの背中合わせにした右側斜辺固定部材２とを、前記左側斜辺固定部材１の左側斜辺部材７を右側斜辺固定部材２の上部連結部材５’に載せ、また前記右側斜辺固定部材２の左側斜辺部材７’を左側斜辺固定部材２の上部連結部材５に載せて交叉連結させる。
【００１６】
この状態から、左側斜辺固定部材１の下部連結部材６と右側斜辺固定部材２の下部連結部材６’とに底辺連結部材４の折り曲げ部９を架け渡して、正面視三角形となるように組み立て形成する。これで本願発明の高さ変更可能なスペーサーが完成される。
また、本発明の高さ変更可能なスペーサーの高さを変更する場合には、前記底辺連結部材４の長さを変えることによって基礎からの頂点３までの高さを変更することができる。このようにすることによって、図１に示すような高さ変更可能なスペーサーが簡易に組み立てられる。
【００１７】
また、本発明の高さ変更可能なスペーサーのその他の実施例を添付図面に基づいて、以下に説明する。
図４の斜視図に示すように、本発明の高さ変更可能なスペーサーは、左側斜辺固定部材１と右側斜辺固定部材２とを頂点３にて連結棒２３で交叉連結させ、前記左側斜辺固定部材１及び右側斜辺固定部材２の下部連結部材６、６’を適宜長さの底辺連結部材４で連結して正面視三角形となるように組み立て形成し、前記底辺連結部材４の長さを変更することによって基礎からの前記頂点３の高さを変更可能にする。
【００１８】
前記左側斜辺固定部材１は、図５の分解斜視図に示すように、下部連結部材６を設け、前記下部連結部材６に連結した左側斜辺部材７を適宜間隔で並列に連結する。前記左側斜辺部材７の上端部は、折り曲げられて鉤状フック２２を形成し、前記左側斜辺部材７の下端部は、前記下部連結部材６の部分で基礎に沿って折り曲げられてＬ字状端部８となっている。
【００１９】
前記右側斜辺固定部材２は、図５の分解斜視図に示すように、下部連結部材６’を設け、前記下部連結部材６’に連結した右側斜辺部材７’を適宜間隔で並列に連結する。前記右側斜辺部材７’の上端部は、折り曲げられて鉤状フック２２’を形成し、前記右側斜辺部材７’の下端部は、前記下部連結部材６’の部分で基礎に沿って折り曲げられてＬ字状端部８’となっている。
【００２０】
前記頂点３は、図６の正面図に示すように、前記左側斜辺固定部材１の左側斜辺部材７の先端部の鉤状フック２２と前記右側斜辺固定部材２の左側斜辺部材７’の先端部の鉤状フック２２’を重ね合わせ、前記鉤状フック２２，２２’の中央空間部に連結棒２３を挿入して前記左側斜辺固定部材１と右側斜辺固定部材２とを交叉連結させる。そうすることにより、左側斜辺固定部材１と右側斜辺固定部材２とは頂点３を支点として回動自在となる。
【００２１】
前記底辺連結部材４は、図５に示すように、両端部を基礎と平行になるように下方に折り曲げて下部連結部材６、６’に嵌合する折り曲げ部９を形成する。前記底辺連結部材４の長さを変更することによって基礎からの頂点３の高さを変更することができる。前記底辺連結部材４は、図４に示すように別々に複数本設けるが、必要に応じて一体に相互に連結された底辺連結部材４とすることもできる。
【００２２】
図７の正面図に示すように、前記鉤状フック２２，２２’は、（ａ）クエスチョンマークのように連結棒２３を抱え込む状態、（ｂ）Ｕターン状に折り曲げた状態、（ｃ）環状の輪を形成した状態、などに設計変更可能である。
また、前記鉤状フック２２，２２’は、連結棒２３を挿入した後、溶接等により連結棒２３と一体化としても良いし、予め溶接等により連結棒２３と一体化しても良い。
【００２３】
次に、本発明の高さ変更可能なスペーサーのその他の実施例の操作動作を添付図面に基づいて、以下に説明する。
本発明の高さ変更可能なスペーサーを設置する場合には、図５の左側斜辺固定部材１と反対向きの背中合わせにした右側斜辺固定部材２とを、前記左側斜辺固定部材１の左側斜辺部材７の先端部の鉤状フック２２と前記右側斜辺固定部材２の左側斜辺部材７’の先端部の鉤状フック２２’を重ね合わせ、前記鉤状フック２２，２２’の中央空間部に連結棒２３を挿入して前記左側斜辺固定部材１と右側斜辺固定部材２とを交叉連結させる。
【００２４】
この状態から、左側斜辺固定部材１の下部連結部材６と右側斜辺固定部材２の下部連結部材６’とに底辺連結部材４の折り曲げ部９を架け渡して、正面視三角形となるように組み立て形成する。これで本願発明の高さ変更可能なスペーサーが完成される。
また、本発明の高さ変更可能なスペーサーの高さを変更する場合には、前記底辺連結部材４の長さを変えることによって基礎からの頂点３までの高さを変更することができる。このようにすることによって、図４に示すような高さ変更可能なスペーサーが簡易に組み立てられる。
【００２５】
さらに、本発明の高さ変更可能なスペーサーのその他の実施例を添付図面に基づいて、以下に説明する。
本発明の高さ変更可能なスペーサーは、図８の斜視図に示すように、接地部分１０および立上がり部分１１を備えた逆くの字状の複数並列状に連結された固定支持部材１２と、図９の斜視図に示すように、所定間隔で離間した上部連結部材１３と下部連結部材１４とを橋渡しするように連結した左側斜辺部材１５を適宜間隔で連結する左側斜辺固定部材１６とからなり、図１０の斜視図に示すように、前記固定支持部材１２と左側斜辺固定部材１６とを連結して正面視三角形となるように組み立て形成し、前記左側斜辺固定部材１６の長さを変更することによって基礎からの高さを変更する。
【００２６】
図８に示すように、前記固定支持部材１２は、鋼線材を逆くの字状の折り曲げて形成し、立上がり部分１１に設けた上部連結部材１７と接地部分１０に設けた下部連結部材１８とに跨って固定する。前記接地部分１０の先端部には、上方にＵ字状に折り曲げた先端折曲部１９を形成する。また、前記立上り部分１１の適宜位置には高さ調節用横架部材２０を設ける。なお、本実施例では１個のみを示している。
【００２７】
図９に示すように、前記左側斜辺固定部材１６は、所定間隔で離間した上下の上部連結部材１３と下部連結部材１４とを設け、前記上部連結部材１３と下部連結部材１４とを橋渡しするように連結した左側斜辺部材１５を適宜間隔で並列に連結する。前記左側斜辺部材１５の下端部は、前記下部連結部材１４の部分で基礎に沿って折り曲げられてＬ字状端部２１となっている。
前記左側斜辺固定部材１６は、下部連結部材１４が前記固定支持部材１２の接地部分１０の先端折曲部１９に着脱自在に係合すると共に、上部連結部材１３が前記立上がり部分１１に設けた上部連結部材１７又は高さ調節用横架部材２０に着脱自在に係合する。
【００２８】
次に、本発明の高さ変更可能なスペーサーの他の実施例の操作動作を添付図面に基づいて、以下に説明する。
本発明の高さ変更可能なスペーサーを設置する場合には、図８の固定支持部材１２及び図９の左側斜辺固定部材１６の分離状態から、図１１の拡大正面図に示すように左側斜辺固定部材１６の左側斜辺部材１５の上部連結部材１３を、固定支持部材１２の立上り部材１１の先端をくぐらして前記立上がり部分１１の上部連結部材１７に載るように配置する。そして、前記左側斜辺固定部材１６の下端連結部材１４が、前記固定支持部材１２の接地部分１０の先端折曲部１９に嵌合するように配置する。
このようにすることによって、図１０の斜視図に示すような高さ変更可能なスペーサーが組み立てられる。
また、図１２の拡大正面図に示すように、左側斜辺固定部材１６の左側斜辺部材１５の上部連結部材１３が、固定支持部材１２の立上り部分１１の先端をくぐらせないで、前記左側斜辺部材１５を固定支持部材１２の上部連結部材１７に載せるように配置することもできる。
【００２９】
本発明の高さ変更可能なスペーサーの設置高さを変更する場合には、短い寸法の左側斜辺固定部材１６’を別に用意し、図１１の一点鎖線で示すように、左側斜辺固定部材１６’の左側斜辺部材１５’が固定支持部材１２の高さ調節用横架部材２０に載るように配置する。そして、前記左側斜辺固定部材１６’の下端連結部材１４が前記固定支持部材１２の接地部分１０の先端折曲部１９に嵌合するように配置する。
このようにすることによって、図１１に一点鎖線で示すように高さの低いスペーサーが組み立てられる。
【００３０】
このようにして、本発明の高さ変更可能なスペーサーは、逆くの字状の固定支持部材１２と左側斜辺固定部材１６を正面視三角形に組み立てることにより、簡易に高さ調整することができるため、高低差がある基礎であってもコンクリート被りを適正に行うことができる。
また、固定支持部材１２の立上がり部分１１の高さ調節用横架部材２０の位置を適宜設定することができるため、予め工場等で溶接により簡単に製作することができる。
【符号の説明】
【００３１】
１  左側斜辺固定部材
２  右側斜辺固定部材
３  頂点
４  底辺連結部材
５、５’  上部連結部材
６、６’  下部連結部材
７、７’  左側斜辺部材
８、８’  Ｌ字状端部
９  折り曲げ部
１０  接地部分
１１  立上がり部分
１２  固定支持部材
１３  上端連結部材
１４  下端連結部材
１５  左側斜辺部材
１６  左側斜辺固定部材
１７  上部連結部材
１８  下部連結部材
１９  先端折曲部
２０  高さ調節用横架部材
２１  Ｌ字状端部
２２、２２’  鉤状フック
２３  連結棒
【図１】
2018168667.tif 000003
【図２】
2018168667.tif 000004
【図３】
2018168667.tif 000005
【図４】
2018168667.tif 000006
【図５】
2018168667.tif 000007
【図６】
2018168667.tif 000008
【図７】
2018168667.tif 000009
【図８】
2018168667.tif 000010
【図９】
2018168667.tif 000011
【図１０】
2018168667.tif 000012
【図１１】
2018168667.tif 000013
【図１２】
2018168667.tif 000014